(57)【要約】【課題】カタログにスプレー角度が表記されない圧力範囲であってもノズル検索ができ、ユーザー及びメーカーの双方にとって信頼性の高いデータベースを提供する。【解決手段】ノズル情報を検索するためノズルカタログに記載されているデータに基づいて構築されたデータベースであって、カタログ記載されている圧力・流量・スプレー角度を組み合わせ単位として扱い、この組み合わせ単位とノズル型番情報とを対応付けて登録し、圧力・流量の組み合わせに対応するスプレー角度のカタログ記載がない場合、カタログ記載されているスプレー角度のうち当該圧力に対応するスプレー角度として適切なものを仮スプレー角度として登録し、その場合、仮スプレー角度であることを示す識別データと共に登録し、圧力・流量・スプレー角度に基づくノズル型番情報の検索を行った場合に、検討結果の表示画面において、仮スプレー角度であることを表示可能に構成した。【選択図】    図１２
2005004623.tif 000002
【特許請求の範囲】
【請求項１】
ノズル情報を検索するためノズルカタログに記載されているデータに基づいて構築されたノズルカタログデータベースであって、
カタログ記載されている圧力・流量・スプレー角度を組み合わせ単位として扱い、この組み合わせ単位とノズル型番情報とを対応付けて登録し、
圧力・流量の組み合わせに対応するスプレー角度のカタログ記載がない場合、カタログ記載されているスプレー角度のうち当該圧力に対応するスプレー角度として適切なものを仮スプレー角度として登録し、
仮スプレー角度として登録した場合には、仮スプレー角度であることを示す識別データと共に登録し、
圧力・流量・スプレー角度に基づくノズル型番情報の検索を行った場合に、検索結果の表示画面において、仮スプレー角度であることを表示可能に構成したことを特徴とするノズルカタログデータベース。
【請求項２】
圧力・流量の組み合わせに対応するスプレー角度のカタログ記載がない場合、前記組み合わせとは異なる組み合わせについてスプレー角度の記載がある場合、当該圧力に最も近い圧力に対応するスプレー角度を仮スプレー角度として登録してある請求項１に記載のノズルカタログデータベース。
【請求項３】
スプレー角度の記載が１つしかない場合は、当該スプレー角度を仮スプレー角度として登録してある請求項１又は２に記載のノズルカタログデータベース。
【請求項４】
カタログにスプレー距離とスプレー幅が記載されている場合は、これをスプレー角度に換算したものを第２識別データと共に仮スプレー角度として登録したことを特徴とする請求項１〜３のいずれか１項に記載のノズルカタログデータベース。
【請求項５】
請求項１〜４のいずれか１項に記載のノズルカタログデータベースを用い、圧力・流量・スプレー角度を検索キーワードとして入力することで、ノズル型番情報を抽出することを可能にしたノズル情報検索システムであって、
少なくとも圧力・流量・スプレー角度を検索用キーワードとして入力可能な検索画面を提供する第１手段と、
入力された検索用キーワードに基づいて前記ノズルカタログデータベースの検索して該当するノズル型番情報を抽出するデータベース検索手段と、
検索されたノズル型番情報を表示するための検索結果表示画面を提供する第２手段とを備え、
前記検索結果表示画面に表示されるべきスプレー角度が仮スプレー角度である場合には、前記第２手段は、仮スプレー角度であることを認識できる形で表示データを生成するように構成されていることを特徴とするノズル情報検索システム。
【発明の詳細な説明】
【０００１】
【発明の属する技術分野】
本発明は、ノズル情報を検索するためノズルカタログに記載されているデータに基づいて構築されたノズルカタログデータベース及びこれを用いたノズル情報検索システムに関する。
【０００２】
【従来の技術】
ノズルユーザーがノズル情報を検索するためのノズル情報検索システムとして、本願発明者による下記特許文献１に開示されるシステムが公知である。このシステムは、世界各国にある多数のノズルメーカーのノズルカタログに基づいてノズルカタログデータベースを構築し、ノズルユーザーはこのデータベースを利用することで、自分の要望する仕様のノズルを探すことができる。具体的には、ノズル仕様情報として、圧力・流量・スプレー角度を含むデータを検索用キーワードとして入力すると、検索条件に合致するノズルのノズル型番情報を抽出することができる。
【０００３】
【特許文献１】
特開２００３−２２３８６号公報
【０００４】
【発明が解決しようとする課題】
ノズルカタログデータベースを構築するにあたり、各メーカーのカタログに記載されている圧力・流量・スプレー角度を含むデータに基づいてデータベースを構築する。この圧力・流量・スプレー角度は、ノズルの特性を表わすデータとしては最も重要であり、カタログには、例えば、図２３のように表記されている。このカタログには、型番（Ａ）（Ｂ）（Ｃ）（Ｄ）・・・のノズルの特性が示されており、型番（Ａ）のノズルについては、流量（Ｌ／ｍｉｎ）と圧力（ＭＰａ）の関係が図番１００で示される欄に表記され、スプレー角度（゜）と圧力（ＭＰａ）の関係が図番１０１で示される欄に表記されている。ここで一般的には、流量・圧力の組み合わせ（関係）における圧力のパラメータ数に対して、スプレー角度・圧力の組み合わせ（関係）における圧力のパラメータ数は少ない。また、スプレー角度を表記するための圧力の値には、流量を表記するための圧力とは異なる値を採用していることがある。例えば、図２３の欄１０１には、圧力値として０．１５ＭＰａ，１．４ＭＰａを採用しているが、欄１００に示すように、この圧力値は流量表記のためには採用されていない。したがって、このようなカタログ値に基づいてノズル検索用のデータベースを構築し、圧力・流量・スプレー角度を入力してノズル検索を行うと、次のような問題が生じる。
【０００５】
これを分かりやすく説明するために、図２２を用いる。この図２２（ａ）は、あるノズル型番についてのカタログ記載値に基づいた登録例である。そして、検索条件として、圧力５±２、流量４．５±１、スプレー角度５０±５とした場合、検索結果として抽出したい仕様は、［圧力３、流量３．５、スプレー角度４５］と［圧力５、流量４．５、スプレー角度５０］の２件である。しかし、検索時に特別なプログラムを作成しない限り、次のような問題が生じる。
【０００６】
すなわち、  図２２（ｂ）に示すように、抽出された各特性値の全ての組み合わせを表示させると、Ｎｏ．１，４以外は、実在しないノズル仕様を表示させてしまうことになり問題である。また、抽出された値の最大値の組み合わせを表示させた場合（図２２（ｃ）参照）、やはりノズル仕様としては実在しないものを表示させることになり、問題である。また、実際にカタログ表記されているＮｏ．１，４が表示されないという問題も生じる。その他に、抽出された値の最小値の組み合わせを表示する方法や、中央値を表示する方法等が考えられるが、いずれもカタログに表示されているのとは異なり、不正確な圧力・流量・スプレー角度の組み合わせを表示させてしまう可能性が高い。
【０００７】
更に別の問題点を説明する。図２０は、別のノズル型番のカタログ表記である。スプレー角度は、圧力が３と１０の場合に表記が存在する。この場合、検索条件として、［圧力５±１、流量４．５±１、スプレー角度５０±５］を入力し検索すると、圧力が５の場合、流量データは存在するが、スプレー角度のデータは存在しない。したがって、検索条件を満たすかどうかの判断ができず、このノズルは検索されない。このように、このノズルは、ユーザーの入力した検索条件に合致するであろうにも関わらず、スプレー角度のデータがないために検索結果としてあがってこないことになる。同様に、図２０において、検索条件［圧力１、流量２、スプレー角度５０±５］［圧力１５、流量７．７、スプレー角度５０±５］で行っても、スプレー角度の値がデータベースに登録されておらず、やはりユーザーの要望する条件に合致していたとしても抽出できない。
【０００８】
さらに、図２１に示すように、ノズルによっては、スプレー角度が１つの圧力についてしか表示されていないこともある。また、スプレー角度が１つだけ表示されているが、それがどの圧力の時の値なのかを表記していないようなケースもある。したがって、この場合についても、スプレー角度についての登録ができないということになり、検索で抽出できないということになる。
【０００９】
以上のように、圧力・流量の組み合わせに比べて、圧力・スプレー角度の組み合わせのデータはかなり少なくなっている。したがって、世界各国のノズルメーカーのカタログ値に基づいてデータベースを構築したとしても、スプレー角度の表記がない範囲については、検索ができないことになる。したがって、実際は広範囲な検索範囲が存在するにもかかわらず、そのごく一部しか活用できないことになり、データベースの価値を十分に発揮できないことになる。また、スプレー角度の表記がない部分については、妥当な数値を計算するなどして求め、これをデータベースに登録するという方法も考えられる。しかしながら、ノズルメーカー各社のカタログ値を勝手な判断に基づき決めることになり、ノズルメーカーが意図しない表記をさせてしまうことになり、商品保証又は商取引上許されないことである。
【００１０】
本発明は上記実情に鑑みてなされたものであり、その課題は、カタログにスプレー角度が表記されない圧力範囲であってもノズル検索をすることができ、ユーザー及びメーカーの双方にとって信頼性の高いノズルカタログデータベース及びノズル情報検索システムを提供することである。
【課題を解決するための手段】
上記課題を解決するため本発明に係るノズルカタログデータベースは、
ノズル情報を検索するためノズルカタログに記載されているデータに基づいて構築されたノズルカタログデータベースであって、
カタログ記載されている圧力・流量・スプレー角度を組み合わせ単位として扱い、この組み合わせ単位とノズル型番情報とを対応付けて登録し、
圧力・流量の組み合わせに対応するスプレー角度のカタログ記載がない場合、カタログ記載されているスプレー角度のうち当該圧力に対応するスプレー角度として適切なものを仮スプレー角度として登録し、
仮スプレー角度として登録した場合には、仮スプレー角度であることを示す識別データと共に登録し、
圧力・流量・スプレー角度に基づくノズル型番情報の検索を行った場合に、検索結果の表示画面において、仮スプレー角度であることを表示可能に構成したことを特徴とするものである。
この構成によるノズルカタログデータベースの作用・効果は、以下の通りである。データベースにカタログに記載されているデータを登録するに際して、圧力・流量・スプレー角度の３つの特性値を１つの組み合わせ単位（ユニット）として登録する。この組み合わせ単位のデータとノズル型番とを対応付けてデータベース化する。例えば、図２０の例だと、圧力・流量・スプレー角度＝［３，３．５，５０］及び［１０，６．３，５５］を組み合わせ単位として登録する。また、該当するスプレー角度がない場合には、カタログ記載値のうち適切なものを仮スプレー角度として登録する。例えば、図２０の場合、圧力・流量＝［５，４．５］の組み合わせのところにはスプレー角度の表記がないが、適切な値として圧力３の時のスプレー角度５０を選択し、これを仮スプレー角度として登録する。すなわち、  圧力・流量・スプレー角度＝［５，４．５，５０］を１つの組み合わせとして登録する。このように、カタログ表記されている全ての圧力範囲について、圧力・流量・スプレー角度を組み合わせ単位として登録するので、カタログに記載されている特性値の範囲について、もれなく検索ができるようになる。また、仮スプレー角度を登録した場合は、仮スプレー角度であることを示す識別データと共にデータベース化する。これにより、検索結果の表示画面において、その仮スプレー角度を表示させる場合に、カタログ表記とは異なっていることを表示させることができる。したがって、カタログ値を勝手に書き換えるのではなく、商取引上も問題がないようにできる。ユーザーは、必要に応じて実際のカタログを見て確認したり、ノズルメーカーに直接問い合わせたりの確認を行うこともできる。その結果、カタログにスプレー角度が表記されない圧力範囲であってもノズル検索をすることができ、ユーザー及びメーカーの双方にとって信頼性の高いノズルカタログデータベースを提供することができる。
本発明の好適な実施形態として、圧力・流量の組み合わせに対応するスプレー角度のカタログ記載がない場合、前記組み合わせとは異なる組み合わせについてスプレー角度の記載がある場合、当該圧力に最も近い圧力に対応するスプレー角度を仮スプレー角度として登録してあるものがあげられる。
【００１１】
仮スプレー角度を登録する場合、その圧力に対するスプレー角度として適切な値を採用することが好ましい。例えば、図２０の例では、圧力５の時のスプレー角度としては、圧力１０の時のスプレー角度５５よりも、圧力３の時のスプレー角度５０を仮スプレー角度とするほうが、より正確であると考えられる。これにより、できるだけ実際の特性値に近いものを表示させることができる。
【００１２】
本発明の別の好適な実施形態として、スプレー角度の記載が１つしかない場合は、当該スプレー角度を仮スプレー角度として登録するものがあげられる。
例えば、図２１の例では、圧力５の時のスプレー角度５０しかカタログ値がないので、他の圧力１，３，１０，１５に対応するスプレー角度としては、すべて５０を仮スプレー角度として登録する。スプレー角度が１つしかないノズルについては、圧力が変化してもスプレー角度が大きく変化しないのが通常である。よって、かかる値を仮スプレー角度とすることができる。
【００１３】
本発明の更に別の好適な実施形態として、カタログにスプレー距離とスプレー幅が記載されている場合は、これをスプレー角度に換算したものを第２識別データと共に仮スプレー角度として登録したものがあげられる。
【００１４】
ノズルメーカーによっては、カタログにスプレー角度を表記せずに、スプレー距離とスプレー幅を表記しているメーカーも存在する。この場合は、スプレー距離とスプレー幅とからスプレー角度を計算で求めることができる。この求められたスプレー角度を仮スプレー角度としてデータベース化する。ただし、このスプレー角度はカタログに表記されていないので、第２識別データと共に登録する。したがって、検索結果として表示されるときは、カタログ表記とは異なっていることをユーザーに知らせることができる。
【００１５】
本発明に係るノズル情報検索システムは、本発明に係るノズルカタログデータベースを用い、圧力・流量・スプレー角度を検索キーワードとして入力することで、ノズル型番情報を抽出することを可能にしたノズル情報検索システムであって、
少なくとも圧力・流量・スプレー角度を検索用キーワードとして入力可能な検索画面を提供する第１手段と、
入力された検索用キーワードに基づいて前記ノズルカタログデータベースの検索して該当するノズル型番情報を抽出するデータベース検索手段と、
検索されたノズル型番情報を表示するための検索結果表示画面を提供する第２手段とを備え、
前記検索結果表示画面に表示されるべきスプレー角度が仮スプレー角度である場合には、前記第２手段は、仮スプレー角度であることを認識できる形で表示データを生成するように構成されていることを特徴とするものである。
【００１６】
この構成によるノズル情報検索システムでノズルの検索を行う場合は、まず、検索画面を表示させて、圧力・流量・スプレー角度を検索用キーワードとして入力する。データベース検索手段は、この入力された圧力・流量・スプレー角度に基づいてデータベースの検索を行う。入力された検索条件に合致するノズル型番が抽出された場合は、そのノズル型番情報を検索結果表示画面として表示させる。この表示画面において、そのノズル型番についての圧力・流量・スプレー角度等が表示され、仮スプレー角度である場合は、それが認識できるように表示させる。この表示制御は、識別データを有しているか否かにより判別することができる。これにより、ユーザーは、検索結果を見てスプレー角度が実際のカタログ値とは異なることを認識することができる。また、そのような表示をさせることで商取引上の信頼性も維持することができる。その結果、カタログにスプレー角度が表記されない圧力範囲であってもノズル検索をすることができ、ユーザー及びメーカーの双方にとって信頼性の高いノズル情報検索システムを提供することができる。
【発明の実施の形態】
本発明に係るノズルカタログデータベース（以下、単にデータベースと省略）を用いたノズル情報検索システムの好適な実施形態を図面を用いて説明する。  図１は、ノズル情報検索システムの構成を示す概念図である。
【００１７】
＜システム全体構成＞
このシステムは、データベースに構築されたノズル情報を提供する総合ノズルコンサルタント会社Ｃ（以下、コンサルタント会社と略し、サーバー管理者にも該当する。  ）の管理するサーバーシステム２と、ノズルユーザーＡ（以下、単に「ユーザー」  と略す。）のクライアント装置１とがインターネットＢ（ネットワークに相当する）  により接続されている。クライアント装置１は、一般的にはパソコンが使用され、インターネットに接続してホームページを閲覧するためのブラウザがインストールされている。また、ノズルメーカーＤのシステムにも接続されている。
【００１８】
サーバーシステム２は、いわゆるＷｅｂサーバを中核として構成されるものであり、ノズル情報検索システムを利用するために種々のページ（サイト）  を用意している。ページは、例えば、ＨＴＭＬファイルの形式でハードディスクに保存されている。また、サーバーシステム２には、システム運用のために必要なソフトウェアとして、ＯＳ及び各種アプリケーションがインストールされている。また、世界各国のノズルメーカーが提供するノズルカタログ２１に基づいて、ノズル情報のデータベース２０を構築している。このデータベース２０の概要は、本出願人による前述の特許文献１にも開示されている。
【００１９】
先ほど述べたようにデータベース２０には、ノズルカタログに基づいてノズル情報をデータベース化しているが、例えば、ノズル仕様情報とノズル型番情報とを対応付けてデータベースに登録している。また、ノズル型番情報と、その型番に対応する圧力、流量、噴射角、スプレー角度（噴射角度）、材質等の仕様情報が登録される。従って、ユーザーの要望する圧力・流量・スプレー角度の数値をキーワードとしてデータベース２０を検索することができる。また、各社のカタログ画像データ２１も入力されており、あるメーカーのノズル型番が指定された場合は、その型番のノズルが掲載されているカタログの該当するページを検索することができるようになっている。これにより、ユーザーは、このデータベース２０を利用することで、世界のノズルメーカーのカタログ情報を取得することができる。
【００２０】
＜サーバーシステムの構成＞
次に、サーバーシステム２の制御ブロック構成を図２により説明する。送受信部２２は、ユーザー、コンサルタント会社等のパソコン（以下、外部パソコンと総称することがある。）からのアクセス要求に応じて、Ｗｅｂページ（ホームページ）データ（ＨＴＭＬデータ）や電子メールを送信する。また、外部パソコンにより入力されたデータ、電子メール等を受信する。この送受信部２２は、サーバーシステム２を構成するコンピュータにインストールされるプログラム（ＯＳ等）や通信インターフェースにより構成することができる。
【００２１】
Ｗｅｂページ記憶部２３は、ＷｅｂページデータがＨＴＭＬファイルの形式で保存されている。Ｗｅｂページ処理部２４は、外部パソコンからのアクセス要求に応じて、Ｗｅｂページ記憶部２３に記憶されているＷｅｂページデータを送受信部２２を介して送信させる。また、ＣＧＩプログラムによる処理結果やデータベース２０の検索結果をＷｅｂページの形態に処理し（ＨＴＭＬデータを生成し）、外部パソコンへと送信する。
【００２２】
電子メール処理部２５は、外部パソコンから送信されてくる電子メールの処理、例えば、電子メールに書かれているデータの解析等を行う。解析結果に基づき、ＣＧＩプログラムが起動される。また、外部パソコンへ送信すべき電子メールの自動作成を行う。ＣＧＩシステム２６とは、サーバーが外部のプログラム（ＣＧＩプログラム）を呼び出して実行させる機能のことをいう。ＣＧＩシステム２６の中核をなすＣＧＩプログラムが多数格納されている。
【００２３】
データベース制御部２９は、ユーザーのパソコンから送信されてきたキーワード情報に基づいて、データベース２０の検索を行う。検索結果は、ＣＧＩシステム２６の機能により、Ｗｅｂページの形態でユーザーのパソコンに返信される。
【００２４】
Ｗｅｂページ記憶部２３には、Ｗｅｂページデータが多数格納されているが、本発明と特に関連するものについて図２に示している。本検索システムでは、４つの検索方法を提供しており、具体的には、スタンダード検索、エキスパート検索、ノズル仕様検索、類似ノズル検索の４つである。そのための検索ページを提供する。また、スタンダード検索用ページは、各種入力フォームを提供するための第１ページ、第２ページ、第３ページを有する。また、エキスパート検索用ページも、各種入力フォームを提供するための第４ページ、第５ページ、第６ページ、第７ページを有する。これら各ページについての詳細は、後述する。
【００２５】
上記の各種入力フォームを提供するための各ページは、圧力・流量・スプレー角度を検索用キーワードとして入力可能な検索画面を提供するための第１手段に相当する。また、Ｗｅｂページ処理部２４は、検索されたノズル型番情報を表示するための検索結果表示画面を提供する第２手段に相当する。
【００２６】
＜データベースの構成＞
次に、データベース２０に登録されるデータについて説明する。データベース２０には、カタログに記載されているノズルに関する情報のすべてを登録するが、最も重要なデータはノズルの特性値のうちの圧力・流量・スプレー角度である。既に述べたように、これら３つの特性値のうちで圧力と流量の組み合わせに比べて、圧力とスプレー角度の組み合わせのデータはかなり少ない。しかし、スプレー角度に関するカタログ表記が存在しない場合でも、できるだけ検索範囲を広範囲にするほうがユーザーの便宜を図ることができて好ましい。そこで、データベースへの特性値の登録であるが、圧力・流量・スプレー角度の３つについては、これらの組み合わせを１単位として登録するようにしている。カタログに圧力・流量・スプレー角度の３つがいずれも表記されている場合は、そのままデータベース化すればよい。しかし、カタログに圧力と流量の組み合わせしかないような場合には、その圧力に対応するスプレー角度として適切な値のスプレー角度をカタログ記載事項から選択し、仮スプレー角度として登録するようにした。そこで仮スプレー角度を設定する場合のルールについて、以下説明する。
【００２７】
図３の例で示したように、圧力３と１０についてはスプレー角度の表記があるが、それ以外についてはカタログ表記がない場合の仮スプレー角度の決め方を説明する。まず、圧力５に対応するスプレー角度については、スプレー角度の表記がある圧力３か圧力１０に対応するスプレー角度を選ぶことになる。圧力５は、圧力１０よりも圧力３のほうに値が近いので、圧力３に対応するスプレー角度５０を選択し、圧力５に組み合わせられる仮スプレー角度としてデータベースに登録する（図３（ａ））。なお、表中で「＊」は仮スプレー角度を示す。また、仮に圧力５ではなく、図３（ｂ）のように、圧力が６．５であった場合は、この圧力値は、圧力３と圧力１０のちょうど中間値である。この場合は、角度が小さい方の（圧力３の）スプレー角度５０を仮スプレー角度として採用する。小さい方を採用するのは、一般的に複数個のノズルを配列する場合、ラップ切れを起こさないように、狭い方のスプレー角度をユーザーに提供するほうが安全と考えられるからである。図３（ｃ）のように、スプレー角度のない圧力が７である場合は、より圧力値が近いほうの圧力１０に対応するスプレー角度５５を仮スプレー角度として採用する。
【００２８】
図４に示すように、スプレー角度の表記がない圧力が４．５と７のように２つある場合も、上記と同様の考えに基づいて仮スプレー角度を登録することができる。すなわち、  圧力４．５については、圧力３に対応したスプレー角度５０を採用し、圧力７については、圧力１０に対応したスプレー角度５５を採用する。スプレー角度のない圧力が３つ以上ある場合も同様の考え方で決めることができる。
【００２９】
図３の例に戻り、圧力１（圧力の最小値）に対応するスプレー角度の表記がない場合は、一番近い圧力値でスプレー角度の表記があるものを採用する。すなわち、  図例では圧力３に対応するスプレー角度５０を採用して仮スプレー角度とする。また、圧力１５（圧力の最大値）に対応するスプレー角度の表記がない場合も、一番近い圧力値でスプレー角度の表記があるものを採用する。すなわち、図例では、圧力１０に対応するスプレー角度５５を採用して、仮スプレー角度とする。なお、最小値側、最大値側においてスプレー角度の表記のない圧力値が１つだけでなく複数存在する場合も、同じ方法で決めることができる。
【００３０】
次に、図５で示すように、１つの圧力値にのみスプレー角度の表記がある場合については、図５に示すように、スプレー角度の表記のないすべての圧力について、当該スプレー角度の値を仮スプレー角度として登録する。すなわち、  すべてスプレー角度の値は５０となる。また、カタログ値にスプレー角度の表記はあるが、それがどの圧力値におけるものなのかの表記がない場合もある。この場合も、図６に示すように、当該スプレー角度を全ての圧力値に対応する仮スプレー角度として登録する。このように、スプレー角度の表記が１つしかない型番のノズルについては、そのスプレー角度を仮スプレー角度として登録する。これにより、圧力・流量・スプレー角度を組み合わせ単位として登録することができる。以上のように、全てのノズルについて、圧力・流量・スプレー角度を組み合わせ単位としたデータを登録することができる。図３（ａ）に示される型番のノズルの場合、［１，２，５０］［３，３．５，５０］［５，４．５，５０］［１０，６．３，５５］［１５，７．７，５５］の５通りの組み合わせ単位（ユニット）がデータベースに登録される。以上のように、スプレー角度がカタログに記載されていないような圧力の範囲が検索条件として指定された場合であっても検索可能となる。また、仮スプレー角度として登録されたデータについては、それが仮スプレー角度であること（カタログ記載値ではないこと）を示す識別データと共にデータベース化する。これは、検索結果の表示を行う場合に、仮スプレー角度であることをユーザーに明示するためである。なお、識別データとしては３通りを用意しており、これを区別できる形で登録する。
【００３１】
まず、第１識別データは、既に説明してきたように、登録されたスプレー角度が仮スプレー角度であること（カタログに記載された通りではないこと）を識別するためのデータである。
【００３２】
ノズルカタログには、スプレー角度ではなく、スプレー距離とスプレー幅により特性値を表示していることがある。この場合は、検索の便宜を考えて、スプレー距離とスプレー幅からスプレー角度を演算して求め、この求められたスプレー角度を仮スプレー角度として登録する。この場合は、第２識別データと共にデータベースに登録する。
【００３３】
また、ノズルの種類、ノズルメーカーによっては、水以外の流体をスプレーした場合の流量またはスプレー角度が表記されていることがある。この場合は、流量又はスプレー角度を登録するときに、第３識別データと共にデータベースに登録する。
【００３４】
＜２流体ノズルについて＞
これまで仮スプレー角度を決めるルールを説明してきたが、あげた事例は１流体ノズルの場合である。ノズルには２流体ノズルがあり、気体と液体の２種類の流体を使用する。そして、液体圧力の方がスプレー角度の変化に与える影響が大きい。そこで、仮スプレー角度を決めるにあたり、液体圧力を第１優先で考え、気体圧力を第２優先で考えるものとする。これを具体的に図７により説明する。図７は、あるノズル型番の２流体ノズルの特性を示している。図７において、＊マークのついたスプレー角度が仮スプレー角度を示している。
【００３５】
Ｎｏ．２のスプレー角度については、液体圧力が０．０２となっている。液体圧力が０．０２となっているのは、Ｎｏ．１〜４までの欄である。そして、Ｎｏ．１とＮｏ．４については、カタログに記載されたスプレー角度が存在する。次に、気体圧力に注目する。Ｎｏ．２の気体圧力は０．０３５である。また、Ｎｏ．１の気体圧力は０．０２であり、Ｎｏ．４の気体圧力は０．１０５である。そして、Ｎｏ．２の気体圧力０．０３５に近い数値はＮｏ．１の０．０２の方である。そこで、Ｎｏ．２の仮スプレー角度として、Ｎｏ．１のスプレー角度である３３を採用する。次に、Ｎｏ．３の仮スプレー角度は、同じ方法で決めると、Ｎｏ．４のスプレー角度である３４が採用される。なお、Ｎｏ．２の気体圧力が、Ｎｏ．１とＮｏ．４のちょうど中間値であったとすれば、小さい方のスプレー角度を仮スプレー角度として登録する。
【００３６】
次にＮｏ．５の仮スプレー角度の決め方を説明する。Ｎｏ．５の液体圧力は０．０３である。液体圧力が０．０３となっているのは、Ｎｏ．５〜８の欄である。しかし、液体圧力が０．０３であるときのスプレー角度の記載がカタログにはない。そこで、液体圧力０．０３に近い液体圧力であってスプレー角度の表記があるものを探すと、Ｎｏ．４とＮｏ．９がある。Ｎｏ．４の液体圧力は０．０２であり、Ｎｏ．９の液体圧力は０．０３５である。液体圧力０．０３に近い数値は、Ｎｏ．９の液体圧力０．０３５である。そこで、Ｎｏ．９のスプレー角度３７をＮｏ．５〜８の仮スプレー角度として採用し登録する。なお、Ｎｏ．５の液体圧力がＮｏ．４とＮｏ．９のちょうど中間値である場合は、小さい方のスプレー角度を仮スプレー角度として登録する。
【００３７】
次に、Ｎｏ．１０〜１２の仮スプレー角度の決め方を説明する。Ｎｏ．１０の液体圧力は０．０７である。液体圧力０．０７でスプレー角度の記載があるのは、Ｎｏ．１３の欄であり、スプレー角度は４２となっている。そこで、Ｎｏ．１０〜１２の仮スプレー角度は４２とする。
Ｎｏ．１５と１６の仮スプレー角度の決め方は、Ｎｏ．２と３と同じでよい。２流体ノズルの場合は、液体圧力、気体圧力、液量（流量）、気体量（流量）、スプレー角度を１つの組み合わせ単位（ユニット）としてデータベースに登録する。
【００３８】
＜検索方法の選択＞
次に、本発明に係るノズル情報検索システムにおける４つの検索方法の選択を説明する。図８は、検索方法を選択するためのページの表示構成例を示す。ここに示すように、本検索システムは４つの検索方法を提供する。すなわち、  ノズル型番検索として、スタンダード検索とエキスパート検索、ノズル仕様検索と、類似ノズル検索である。画面上の「検索画面へ」と書かれたボタン４０をクリックすれば、夫々の検索画面へと移行する。本発明と関連する、スタンダード検索とエキスパート検索について説明する。
【００３９】
＜スタンダード検索＞
スタンダード検索は、概略の検索条件を入力して、ノズル型番を多数検索する方法である。広範囲で多数のノズル型番を検索することができる。スタンダード検索では、３段階に分けて検索条件を入力可能である。図８に示す画面において、スタンダード検索を選択すると、まず図９に示すようなステップ１の検索画面  （入力フォーム）  に移行する。これは第１ページに相当する。
【００４０】
画面の上部には、入力済みの検索条件を表示する表示エリア４１が設けられている。ステップ１では、ノズルの分類を検索条件として入力する。あらかじめ、「液体用ノズル」「気体用ノズル」・・・のように分類がされており、ラジオボタンをクリックすれば、いずれか１つの分類を選択することができる。選択を終了すると、画面下にある「次ページ」ボタンをクリックすれば、ステップ２へ進む。
【００４１】
図１０は、スタンダード検索の第２ステップの検索画面  （入力フォーム）  を示す図である。これは第２ページに相当する。ステップ１と同様に表示エリア４１が設けられている。この表示エリア４１には、ステップ１で入力済みのノズルの分類として、「蒸気ノズル」が表示されている。これにより、過去に（別のステップで）入力した検索条件を確認することができる。ステップ１の条件を変更したい場合は、表示エリア４１の中で「Ｓｔｅｐ１」と表示された箇所をクリックすれば、先ほどの図９の検索画面に戻ることができる。
【００４２】
ステップ２では、スプレーパターンを選択する。スプレーパターンは、ノズルの先端から外部に流体が噴射されるときの噴射パターンである。スプレーパターンの表現については、ノズルメーカーの間で統一されたものがなく、また、言葉で表現すること自体も難しい。従って、ユーザーに検索条件としてスプレーパターンを入力させる場合に、どのような形で入力させるかは重要である。また、ユーザーが入力しやすいような形態でなければならない。そこで、スプレーパターンをイラスト化して表示させるようにした。本願発明者は、世界各国のノズルカタログを検討し、全てのノズルを図１０に示すようにイラスト化されたスプレーパターンで分類した。夫々のスプレーパターンには、形状ＩＤも付している。なお、スプレーパターン断面が同じであっても、流体の噴射方向が異なる場合は、異なる分類として扱っている。言葉による説明だけでなく、スプレーパターンをイラスト化しているので、ユーザーは迷うことなく自分の要望するノズルのスプレーパターンを選択することができる。選択は、いずれか１つのラジオボタンをクリックすればよい。ステップ２の入力が終わると、「次ページ」  ボタンをクリックしてステップ３に進む。
【００４３】
図１１は、ステップ３の検索画面  （入力フォーム）  の構成例を示す図である。これは第３ページに相当する。ステップ３では、概略のノズル仕様を検索条件として入力する。他の、ステップ１，２の画面と同様に、表示エリア４１が設けられている。既に入力済みのノズルの分類とスプレーパターンをイラスト化したものが表示されている。表示エリア４１の機能は、すでに説明したのと同じである。
【００４４】
画面の下部にノズル仕様を入力するための入力フォームが示される。具体的には、流体圧力と噴射流体流量とスプレー角度とを入力できる。流体仕様を入力する入力欄４３と、単位を選択する入力欄４５とが設けられている。入力欄４３には、数値を入力する。単位については、メーカーやユーザーによって取り扱っている単位が異なっているので、選択できるようにした。なお、ユーザーの選択した単位と、メーカーのカタログ記載の単位とが異なっていたとしても、単位換算の演算処理を行って検索するようにしているので、選択した単位に依存して検索結果が異なることはないようにしている。噴射流体流量についても、単位を選択できる。なお、単位換算表と記載されているボタン４２をクリックすると、単位換算するためのページが別ウィンドウで表示される。このページで、単位換算を行うことができるので、ユーザーは必要に応じて利用すればよい。
【００４５】
また、噴射流体流量とスプレー角度については、許容範囲も入力できるような入力欄４４も設けている。これは、もし許容範囲を入れない場合は、入力した流体圧力に対応する噴射流体流量及びスプレー角度を有するノズルが検索されない可能性が高くなるからである。つまり、ピンポイントの数値の検索では、ユーザーの要望する特性を有するノズルが存在するにもかかわらず、検索結果として抽出されないということがありうる。  そこで、本検索システムでは、許容範囲も入力させるようにして、確実に検索できるようにしている。
【００４６】
ステップ３の検索条件を入力し終わったら、検索開始ボタンをクリックすると、検索が行われる。なお、既に入力済みの検索条件のやり直しをする場合は、表示エリア４１の中にある該当する箇所をクリックすれば、選択したステップの検索画面のところに戻る。また、検索を実行するにあたり、ステップ１とステップ２とは必須項目であるが、ステップ３のノズル仕様については、入力しなくても検索を行うことができる。あるいは、ノズル仕様の一部のみを入力しても良い。すなわち、  圧力・流量・スプレー角度の全ての項目について検索条件を入れてもよいが、必ずしも全てを入力しなくて良い。これにより、広範囲にわたってノズルを検索することができる。
【００４７】
図１２は、スタンダード検索における検索結果の一覧表を表示する画面の構成例である。図示は省略しているが、検索条件を表示する表示エリアが同様に設けられる。機能は同じである。
【００４８】
一覧表における表の項目として、ＳＧＳコード、メーカー、国籍、カタログ言語、メーカー型番、圧力値、流量値、スプレー角度、材質、ネジの規格・サイズ・オスメスの区別、バルブ、ストレーナが設けられる（ただし、図示の都合上、一部を示す）。このように、検索結果をノズル型番（メーカー型番）として抽出することができる。検索個数が多数の場合は、複数ページにわたって一覧表が作成される。ユーザーは、この検索結果を見て、新たに検索条件を入力したい場合は、画面の下にある「検索方法」の選択と記載されたボタンをクリックすればよい。この場合、入力した数値はクリアされる。また、検索結果を更に絞込みたい場合は、エキスパート検索に行くことができる。
【００４９】
また、画面の下方には「＊１」「＊２」「＊３」で示される注記がある。「＊１」は、カタログにはスプレー距離とスプレー幅により表記されているが、検索結果の一覧表にはスプレー角度で表記してあることを示す注記である。図番４７で示す欄等に示されている。４３゜（ａｔ２．０ｂａｒ）と表示されているが、この数値は実際にはカタログには表記されていない。ユーザーは、欄内の注記表示を見ることでカタログ通りでないことを認識できる。実際のカタログの内容を確認したい場合は、後述の詳細表示で確認することができる。既に説明したように、ここに表示されたスプレー角度は仮スプレー角度であり第２識別データと共にデータベースに登録されたものである。この第２識別データに基づいて、「＊１」の表示をさせることができる。
【００５０】
一覧表に示されている圧力・流量・スプレー角度の表示は、組み合わせ単位として登録されたデータを表示させている。例えば、Ｎｏ．１のノズルについては、［２．０，１．９，６５］が組み合わせ単位となっている。なお、図３（ａ）でも示したように、１つのノズルについて圧力・流量・スプレー角度の組み合わせは１つだけでなく複数存在するのが普通である。ただし、検索結果として表示されるのは、そのうちの１つの組み合わせである。複数の組み合わせのうち、どの組み合わせを検索結果として表示させるかは適宜決めることができる。例えば、検索条件として入力した圧力値範囲の中央値（５±１を入力したのならば５）に近いものが含まれるような組み合わせとすることができる。
【００５１】
「＊２」は、カタログには記載されていない圧力とスプレー角度の組み合わせを表示させていることを示す注記である。例えば、図番４８で示す欄等に示されている。例えば、Ｎｏ．６のノズルの場合、圧力１．８ｂａｒ、流量２ｌ／ｍｉｎ、スプレー角度４３゜であるが、このスプレー角度４３゜は仮スプレー角度であり圧力１．８ｂａｒの時の数値ではない。そこで、注記２を表示させると共に、そのスプレー角度に対応した実際の圧力値も併記させている。すなわち、  ４３゜（ａｔ／２．０ｂａｒ）と表示し、圧力１．８ｂａｒの時の数値ではないことをユーザーに分かるようにしている。なお、仮スプレー角度ではない場合は、表示される圧力値はスプレー角度に対応するものである。例えば、Ｎｏ．１のノズルの場合、圧力の表示は２．０ｂａｒであり、スプレー角度の表示は６５゜（ａｔ２．０ｂａｒ）となっており、同じ圧力値が表示されている。注記「＊２」は、第１識別データに基づいて表示させることができる。
【００５２】
「＊３」は、水以外の液体をスプレーした場合の流量やスプレー角度がカタログに表記されている場合、そのことを示すための注記である。ユーザーがノズルを検索する場合は、流体として水を使用する場合を想定して検索を行うものと考えられる。したがって、カタログ表記が水以外の流体による場合は、その旨を表示させることでユーザーが間違ったノズル選択をしないようにする。例えば、図番４９で示される欄に注記「＊３」が示されている。この注記「＊３」は、第３識別データに基づいて表示させることができる。
【００５３】
なお、注記は、１つのノズルについて１つだけではなく、複数が同時に表示されることもある。例えば、図番４９で示す欄には「＊１」「＊３」の２つが表示されている。
【００５４】
一覧表に表示されている各社のノズルのうちの、特定のノズル型番のノズルについて詳細に知りたい場合は、一覧表の中のメーカー型番の枠内（例えば、図番４６で示している箇所）  をクリックすればよい。これにより、図１３，１４に示す、検索結果詳細表示の画面に移行する。図１３の画面を下方にスクロールすれば図１４の画面になる。
【００５５】
図１３の画面において、上部に表示エリア４１が設けられている。機能は、すでに説明した通りである。また、単位換算表のためのクリックボタン４２も設けられている。
【００５６】
選択したノズル型番についての詳細表示が一覧表４８として表示されている。そのノズルのメーカーのＵＲＬも表示されており、メーカーのホームページもすぐに見ることができる。図１４に示すように、圧力−流量特性表４９と圧力−スプレー角度特性表５０が表示されており、単位も選択できる。異なる単位を選択すると、演算処理がされ、選択した単位に対応した数値に変換される。この表は、カタログに記載されたデータをそのまま表示させている。この表により、実際のカタログ値を確認することができる。
【００５７】
一覧表４８の下方には、検索されたノズルに関連したノズルカタログのページ５１がサムネイル画像として表示されている。そのページの箇所をクリックすると、画像が拡大されてカタログ画像を通常の大きさで見ることができる。これにより、カタログを見ながら実際のデータを確認することができる。したがって、検索結果の一覧表で注記の表示がされているノズルについては、実際のカタログの内容を確認できる。
【００５８】
画面の下部には、「添付メーラー起動」と記載されたボタン５２が設けられている。ユーザーは、メーカーに対して問い合わせを行いたい場合は、このボタン５２をクリックすればよい。これにより、電子メールのソフトウェアが自動的に起動する。また、宛先にもそのメーカーのメールアドレスが既に入力された状態となっている。
先ほどと同様に、新たに検索条件を入力したい場合は、「検索方法」の選択と記載されたボタン５３をクリックすればよい。
【００５９】
＜エキスパート検索＞
エキスパート検索は、詳細な検索条件を入力して、ノズル型番を絞り込んで検索する方法である。ピンポイントでノズル型番を検索することもできる。エキスパート検索では、４段階に分けて検索条件を入力可能である。図８に示す画面において、エキスパート検索を選択すると、まず図１５に示すようなステップ１の検索画面  （入力フォーム）  に移行する。
【００６０】
図１５に、エキスパート検索のステップ１の検索画面  （入力フォーム）  を示す。これは第４ページに相当する。この画面は、図９に示すスタンダード検索の場合とほぼ同じである。画面の上部には、入力済みの検索条件を表示するための表示エリア５４が設けられており、これの機能は、スタンダード検索の場合と同じである。ただし、検索条件を４段階に分けて入力するため、表示形態は異なっている。ステップ１では、ノズルの分類を選択する。分類の仕方については、スタンダード検索と同じである。選択方法も同じである。ステップ１の入力が終わると、ステップ２に移行する。
【００６１】
ステップ２の検索画面  （入力フォーム）  を図１６に示す。これは第５ページに相当する。画面上部には、表示エリア５４がこれまでと同様に設けられている。ステップ２では、流体の流入方向を選択する。この流入方向についても、スプレーパターンと同様に言葉で表現することが難しく、また、メーカー間でも表現が統一されていない。そこで、流入方向についても、イラスト化するようにした。これにより、ユーザーは、検索条件としての流入方向を容易に入力することができる。各流入方向には、ＩＤが付与されている。実際の検索は、このＩＤをキーとして行うことになる。ステップ２の入力が終了すると、ステップ３に移行する。
【００６２】
図１７は、ステップ３の検索画面  （入力フォーム）  を示す図である。これは第６ページに相当する。ステップ３では、スプレーパターンを入力するものであり、スタンダード検索の場合と同じである。なお、ここで表示されるスプレーパターンは全てではなく、ステップ２で入力した流入方向に対応したスプレーパターンのみをイラスト表示させる。これにより、矛盾した検索条件の入力を防止し、確実に検索を行うことができる。ステップ３の入力が終了すると、ステップ４に移行する。
【００６３】
図１８は、ステップ４の検索画面  （入力フォーム）  を示す図である。これは第７ページに相当する。ステップ４では、ノズル仕様を入力する。この点は、スタンダード検索の場合と同じであるが、エキスパート検索の場合は、かなり詳細に仕様項目を入力できるように、入力フォームが構成されている。具体的には、ノズルメーカー、バルブ機能付の有無、ストレーナ付の有無、オリフィス部材質、取付ネジの規格・サイズ・オス／メス、異物通過径、流体圧力、噴射流体流量、スプレー角度である。ただし、２流体ノズルの検索を行う場合は、図示しているように、液体圧力、噴射液体流量、気体圧力、噴射気体流量について、夫々入力可能である。
【００６４】
なお、ステップ４のノズル仕様については全く入力をしなくても検索は可能である。エキスパート検索では、ステップ１〜３を必須の項目としている。また、ノズル仕様の各項目のうち、任意の一部のみを入力して検索することもできる。なお、１流体ノズルの場合、流体圧力、噴射流体流量、スプレー角度についての入力形態は、スタンダード検索の場合と同様である。異物通過径についても、単位を選択できるようにしている。
【００６５】
以上のように、各ステップについて、検索条件の入力が終わり、検索開始ボタンをクリックすると、検索が開始される。なお、既に入力済みの検索条件を変更することもできる。この点は、スタンダード検索の場合と同じである。検索処理が終了すると、検索結果が一覧表で表示され、さらに、特定のノズル型番についての詳細表示もさせることができる。この点は、スタンダード検索と同じである。
【００６６】
図１９は、エキスパート検索で検索を行った場合の表示画面の一部であり、基本的には先ほど説明した図１２と同じである（一覧表の項目も一部のみを示している）。ただし、２流体ノズルを検索した場合の検索結果を表示させているので、圧力・流量・スプレー角度の表示形態が異なっている。すなわち、  液体圧力（Ｐｗ）、気体圧力（Ｐａ）、液体流量（Ｑｗ）、気体流量（Ｑａ）、スプレー角度を表示させている。また注記＊１、＊２、＊３の表示形態も既に説明したのと同様である。
【００６７】
＜別実施形態＞
（１）本発明の検索システムにおいて、サーバーシステムを１台のサーバー装置で構成するか複数台で構成するかは適宜選択できるものである。複数台で構成して機能を分散することにより、各サーバー装置の負担を軽減することができる。例えば、Ｗｅｂサーバ、データベース・サーバーのように分散することができる。複数のサーバーで構成する場合に、サーバーが設置される場所が分散されていても良い。
【００６８】
（２）本実施形態では、仮スプレー角度であることを示す表示として、「＊１」「＊２」「＊３」を用いているが、これに限定されるものではない。その他の、文字・数字・記号・イラスト等を用いてもよく、又これらを適宜組み合わせたものを用いても良い。
【００６９】
（３）仮スプレー角度のデータベースへの入力設定は、作業者が手動で行ってもよいし、コンピュータ（仮スプレー角度設定手段）により自動演算させてデータベース登録するようにしてもよい。
【００７０】
（４）ノズル型番については、各メーカーが適宜設定するもの（文字や数字の組み合わせが多い）であり、特定のものに限定されるものではない。また、ノズル検索システムのために独自の型番を割り振るようにしても良い。
【図面の簡単な説明】
【図１】ノズル情報検索システムの構成を示す概念図
【図２】サーバーシステムの制御ブロック構成を示す図
【図３】仮スプレー角度の登録例を示す図（１）
【図４】仮スプレー角度の登録例を示す図（２）
【図５】仮スプレー角度の登録例を示す図（３）
【図６】仮スプレー角度の登録例を示す図（４）
【図７】２流体ノズルの場合の仮スプレー角度の登録例を示す図
【図８】検索方法の選択画面の構成例を示す図
【図９】スタンダード検索におけるステップ１の検索画面の構成例を示す図
【図１０】スタンダード検索におけるステップ２の検索画面の構成例を示す図
【図１１】スタンダード検索におけるステップ３の検索画面の構成例を示す図
【図１２】スタンダード検索における検索結果の一覧表を表示する画面の構成例を示す図
【図１３】スタンダード検索における検索結果詳細表示の画面の構成例を示す図
【図１４】スタンダード検索における検索結果詳細表示の画面の構成例を示す図
【図１５】エキスパート検索におけるステップ１の検索画面の構成例を示す図
【図１６】エキスパート検索におけるステップ２の検索画面の構成例を示す図
【図１７】エキスパート検索におけるステップ３の検索画面の構成例を示す図
【図１８】エキスパート検索におけるステップ４の検索画面の構成例を示す図
【図１９】エキスパート検索における検索結果の一覧表を表示する画面の構成例を示す図
【図２０】ノズルカタログの仕様表示例（１）
【図２１】ノズルカタログの仕様表示例（２）
【図２２】ノズルカタログのデータベース登録例と検索結果表示例
【図２３】ノズルカタログの実際の表記例
【符号の説明】
１        クライアント装置
２        サーバーシステム
２０      データベース
２１      ノズルカタログ
２２      送受信部
２３      Ｗｅｂページ記憶部
【図１】
2005004623.tif 000003
【図２】
2005004623.tif 000004
【図３】
2005004623.tif 000005
【図４】
2005004623.tif 000006
【図５】
2005004623.tif 000007
【図６】
2005004623.tif 000008
【図７】
2005004623.tif 000009
【図８】
2005004623.tif 000010
【図９】
2005004623.tif 000011
【図１０】
2005004623.tif 000012
【図１１】
2005004623.tif 000013
【図１２】
2005004623.tif 000014
【図１３】
2005004623.tif 000015
【図１４】
2005004623.tif 000016
【図１５】
2005004623.tif 000017
【図１６】
2005004623.tif 000018
【図１７】
2005004623.tif 000019
【図１８】
2005004623.tif 000020
【図１９】
2005004623.tif 000021
【図２０】
2005004623.tif 000022
【図２１】
2005004623.tif 000023
【図２２】
2005004623.tif 000024
【図２３】
2005004623.tif 000025